(57)【特許請求の範囲】
【請求項１】
筐体と、該筐体に対して引き出し自在に設けられたドロアとを備えた商品券保管装置であって、
前記ドロアに設けられ、顧客から受け取った商品券を投入するための投入口と、
前記顧客から受け取った際に前記投入口に投入された商品券の少なくとも発行元及び金額が特定可能な情報を読み取る読取手段と、
前記読取手段で情報の読み取られた商品券を収納する収納手段と、
を備えたことを特徴とする商品券保管装置。
【請求項２】
前記ドロアは、棒金を収納する棒金収納手段を有することを特徴とする請求項１に記載の保管装置。
【請求項３】
前記投入口には紙幣も投入可能となり、
前記読取手段は、前記投入口に投入された紙幣の情報を読み取ることができることを特徴とする請求項１又は２のいずれかに記載の保管装置。
【請求項４】
前記投入口に投入された商品券を搬送する搬送手段をさらに備えたことを特徴とする請求項１乃至３のいずれか１項に記載の商品券保管装置。
【請求項５】
筐体と、該筐体に対して引き出し自在に設けられたドロアとを有する商品券保管装置であって、該ドロアに設けられて顧客から受け取った商品券を投入するための投入口と、前記顧客から受け取った際に該投入口に投入された商品券の少なくとも発行元及び金額が特定可能な情報を読み取る読取手段と、該読取手段で情報の読み取られた商品券を収納する収納手段とを有する商品券保管装置と、
使用可能な商品券に関するデータを記憶する記憶手段と、
前記読取手段により得られた商品券に関するデータと前記記憶手段に記憶された使用可能な商品券に関するデータとを比較することによって、前記読取手段により読み取られた商品券が使用可能か否かを判別する判別手段と、
を備えたことを特徴とする商品券保管システム。
【請求項６】
前記商品券保管装置は、前記投入口に投入された商品券を搬送する搬送手段をさらに有し、
前記判別手段によって商品券が使用不可能と判断された場合に、前記搬送手段によって該商品券を前記投入口に戻すことを特徴とする請求項５に記載の商品券保管システム。
【請求項７】
前記商品券保管装置は、前記投入口に投入された商品券を搬送する搬送手段と、前記投入口に投入された商品券を返却するための返却口を有し、
前記判別手段によって商品券が使用不可能と判断された場合に、前記搬送手段によって該商品券を前記返却口に搬送することを特徴とする請求項５に記載の商品券保管システム。
【請求項８】
前記読取手段によって読み取られた商品券の発行元若しくは金額、又は、該読取手段により読み取られた商品券が使用不可能である場合にその旨を表示する表示手段をさらに備えたことを特徴とする請求項５乃至７のいずれか１項に記載の商品券保管システム。
【請求項９】
筐体と、該筐体に対して引き出し自在に設けられたドロアとを有する商品券保管装置であって、該ドロアに設けられて顧客から受け取った商品券を投入するための投入口と、前記顧客から受け取った際に該投入口に投入された商品券の少なくとも発行元及び金額が特定可能な情報を読み取る読取手段と、該読取手段で情報の読み取られた商品券を収納する収納手段とを有する商品券保管装置と、
釣銭払出不可の商品券に関するデータ若しくは釣銭払出可能な商品券に関するデータを記憶する記憶手段と、
前記読取手段により得られた商品券データと前記記憶手段に記憶された釣銭払出不可の商品券に関するデータ若しくは釣銭払出可能な商品券に関するデータとを比較することで該読取手段により読み取られた商品券が釣銭払出不可の商品券か否かを判別する判別手段と、
を備えたことを特徴とする商品券保管システム。
【請求項１０】
前記読取手段によって読み取られた商品券の発行元若しくは金額、又は、該読取手段により読み取られた商品券が釣銭払出不可であるか否かを表示する表示手段をさらに備えたことを特徴とする請求項９に商品券保管システム。
【請求項１１】
前記読取手段により読み取られた商品券が釣銭払出不可の商品券であることが前記判別手段により判別されたときに、この商品券の使用許可を受け付ける受付手段をさらに備えたことを特徴とする請求項９又は１０のいずれかに記載の商品券保管システム。
【請求項１２】
筐体と、該筐体に対して引き出し自在に設けられたドロアとを有する商品券保管装置であって、該ドロアに設けられて顧客から受け取った商品券を投入するための投入口と、前記顧客から受け取った際に該投入口に投入された商品券の少なくとも発行元及び金額が特定可能な情報を読み取る読取手段と、該読取手段で情報の読み取られた商品券を収納する収納手段とを有する商品券保管装置と、
貨幣を出金可能な貨幣処理装置と、を備え、
前記貨幣処理装置は、前記読取手段により読み取られた商品券に対する釣銭を払い出すことを特徴とする商品券保管システム。
【請求項１３】
筐体と、該筐体に対して引き出し自在に設けられたドロアとを有する商品券保管装置であって、該ドロアに設けられて顧客から受け取った商品券を投入するための投入口と、前記顧客から受け取った際に該投入口に投入された商品券の少なくとも発行元及び金額が特定可能な情報を読み取る読取手段と、該読取手段で情報の読み取られた商品券を収納する収納手段とを有する商品券保管装置と、
前記ドロア内に収納された商品券の少なくとも合計金額を集計する商品券集計手段と、
前記商品券集計手段による集計結果を記憶する集計記憶手段と、
を備えることを特徴とする商品券保管システム。
【請求項１４】
貨幣の処理をする貨幣処理装置と、
前記貨幣処理装置内に収納された貨幣の少なくとも合計金額を集計する貨幣集計手段と、をさらに備え、
前記集計記憶手段は、前記商品券集計手段による集計結果及び前記貨幣集計手段による集計結果を記憶することを特徴とする請求項１３に記載の商品券保管システム。
【請求項１５】
前記ドロアは、棒金を収納する棒金収納手段を有し、
前記棒金収納手段内に収納された棒金の少なくとも合計金額を集計する棒金集計手段をさらに備え、
前記集計記憶手段は、前記商品券集計手段による集計結果及び前記棒金集計手段による集計結果を記憶することを特徴とする請求項１３に記載の商品券保管システム。
【請求項１６】
前記ドロアは、棒金を収納する棒金収納手段を有し、
前記棒金収納手段内に収納された棒金の少なくとも合計金額を集計する棒金集計手段をさらに備え、
前記集計記憶手段は、前記商品券集計手段による集計結果、前記貨幣集計手段による集計結果及び前記棒金集計手段による集計結果を記憶することを特徴とする請求項１４に記載の商品券保管システム。
【発明の詳細な説明】
【技術分野】
【０００１】
本発明は、商品券を保管するための商品券保管装置と、このような商品券保管装置を備えた商品券保管システムに関する。
【背景技術】
【０００２】
従来から、筐体と、この筐体に対して引出し自在に設けられたドロアとを備えた保管装置が知られている。そして、このような保管装置は、棒金だけではなく、紙葉類または棒金以外の硬貨を収納することもできる（例えば特許文献１参照）。
【０００３】
この特許文献１には、ドロアの前面のうち現金以外の紙葉類（例えば商品券）を収納する現金外紙葉類収納部に対応する部分に開口部が設けられ、この開口部を介して現金外紙葉類を現金外紙葉類収納部内に収納できるようになっていることが開示されている。なお、商品券には、関連づけられた金額範囲内で種々の商品と交換できるもの以外に、交換できる商品が限定されたもの（ビール券等）がある。
【先行技術文献】
【特許文献】
【０００４】
【特許文献１】特開２００９−１９３２２４号公報
【発明の概要】
【発明が解決しようとする課題】
【０００５】
しかしながら、このような保管装置では、商品券の収納スペースがあるだけで、商品券を管理することはできない。そして、商品券の在高等を管理する必要がある場合には、別途、商品券入金機を設置しなければならない。このように商品券入金機を設置するには、レジ周りに設置用のスペースが必要となるだけでなく、商品券入金機を導入するコストがかかってしまう。
【０００６】
以上のような点に鑑み、本発明は、設置スペースが小さく、導入コストが低く、商品券の少なくとも発行元及び金額に関する情報の管理を可能とする商品券保管装置と、このような商品券保管装置を備えた商品券保管システムを提供することを目的とする。
【課題を解決するための手段】
【０００７】
本発明の商品券保管装置は、
筐体と、該筐体に対して引き出し自在に設けられたドロアとを備えた商品券保管装置であって、
前記ドロアに設けられ、商品券を投入するための投入口と、
前記投入口に投入された商品券の少なくとも発行元及び金額を特定可能な情報を読み取る読取手段と、
前記読取手段で情報の読み取られた商品券を収納する収納手段と、
を備える。
【０００８】
本発明の商品券保管装置において、
前記ドロアは、棒金を収納する棒金収納手段を有してもよい。
【０００９】
本発明の商品券保管装置において、
前記投入口には紙幣も投入可能となり、
前記読取手段は、前記投入口に投入された紙幣の情報を読み取ることができてもよい。
【００１０】
本発明の商品券保管装置は、
前記投入口に投入された商品券を搬送する搬送手段をさらに備えてもよい。
【００１１】
本発明の第１の態様からなる商品券保管システムは、
筐体と、該筐体に対して引き出し自在に設けられたドロアとを有する商品券保管装置であって、該ドロアに設けられて商品券を投入するための投入口と、該投入口に投入された商品券の少なくとも発行元及び金額を特定可能な情報を読み取る読取手段と、該読取手段で情報の読み取られた商品券を収納する収納手段とを有する商品券保管装置と、
使用可能な商品券に関するデータを記憶する記憶手段と、
前記読取手段により得られた商品券に関するデータと前記記憶手段に記憶された使用可能な商品券に関するデータとを比較することによって、前記読取手段により読み取られた商品券が使用可能か否かを判別する判別手段と、
を備える。
【００１２】
本発明の第１の態様からなる商品券保管システムにおいて、
前記商品券保管装置は、前記投入口に投入された商品券を搬送する搬送手段をさらに有し、
前記判別手段によって商品券が使用不可能と判断された場合に、前記搬送手段によって該商品券を前記投入口に戻してもよい。
【００１３】
本発明の第１の態様からなる商品券保管システムにおいて、
前記商品券保管装置は、前記投入口に投入された商品券を搬送する搬送手段と、前記投入口に投入された商品券を返却するための返却口を有し、
前記判別手段によって商品券が使用不可能と判断された場合に、前記搬送手段によって該商品券を前記返却口に搬送してもよい。
【００１４】
本発明の第１の態様からなる商品券保管システムは、
前記読取手段によって読み取られた商品券の発行元若しくは金額、又は、該読取手段により読み取られた商品券が使用不可能である場合にその旨を表示する表示手段をさらに備えてもよい。
【００１５】
本発明の第２の態様からなる商品券保管システムは、
筐体と、該筐体に対して引き出し自在に設けられたドロアとを有する商品券保管装置であって、該ドロアに設けられて商品券を投入するための投入口と、該投入口に投入された商品券の少なくとも発行元及び金額を特定可能な情報を読み取る読取手段と、該読取手段で情報の読み取られた商品券を収納する収納手段とを有する商品券保管装置と、
釣銭払出不可の商品券に関するデータ若しくは釣銭払出可能な商品券に関するデータを記憶する記憶手段と、
前記読取手段により得られた商品券データと前記記憶手段に記憶された釣銭払出不可の商品券に関するデータ若しくは釣銭払出可能な商品券に関するデータとを比較することで該読取手段により読み取られた商品券が釣銭払出不可の商品券か否かを判別する判別手段と、
を備える。
【００１６】
本発明の第２の態様からなる商品券保管システムは、
前記読取手段によって読み取られた商品券の発行元若しくは金額、又は、該読取手段により読み取られた商品券が釣銭払出不可であるか否かを表示する表示手段をさらに備えてもよい。
【００１７】
本発明の第２の態様からなる商品券保管システムは、
前記読取手段により読み取られた商品券が釣銭払出不可の商品券であることが前記判別手段により判別されたときに、この商品券の使用許可を受け付ける受付手段をさらに備えてもよい。
【００１８】
本発明の第３の態様からなる商品券保管システムは、
筐体と、該筐体に対して引き出し自在に設けられたドロアとを有する商品券保管装置であって、該ドロアに設けられて商品券を投入するための投入口と、該投入口に投入された商品券の少なくとも発行元及び金額を特定可能な情報を読み取る読取手段と、該読取手段で情報の読み取られた商品券を収納する収納手段とを有する商品券保管装置と、
貨幣を出金可能な貨幣処理装置と、を備え、
前記貨幣処理装置が、前記読取手段により読み取られた商品券に対する釣銭を払い出す。
【００１９】
本発明の第４の態様からなる商品券保管システムは、
筐体と、該筐体に対して引き出し自在に設けられたドロアとを有する商品券保管装置であって、該ドロアに設けられて商品券を投入するための投入口と、該投入口に投入された商品券の少なくとも発行元及び金額を特定可能な情報を読み取る読取手段と、該読取手段で情報の読み取られた商品券を収納する収納手段とを有する商品券保管装置と、
前記ドロア内に収納された商品券の少なくとも合計金額を集計する商品券集計手段と、
前記商品券集計手段による集計結果を記憶する集計記憶手段と、
を備える。
【００２０】
本発明の第４の態様からなる商品券保管システムは、
貨幣の処理をする貨幣処理装置と、
前記貨幣処理装置内に収納された貨幣の少なくとも合計金額を集計する貨幣集計手段と、をさらに備え、
前記集計記憶手段は、前記商品券集計手段による集計結果及び前記貨幣集計手段による集計結果を記憶してもよい。
【００２１】
本発明の第４の態様からなる商品券保管システムにおいて、
前記ドロアは、棒金を収納する棒金収納手段を有し、
前記棒金収納手段内に収納された棒金の少なくとも合計金額を集計する棒金集計手段をさらに備え、
前記集計記憶手段は、前記商品券集計手段による集計結果及び前記棒金集計手段による集計結果を記憶してもよい。
【００２２】
本発明の第４の態様からなる商品券保管システムにおいて、
前記ドロアは、棒金を収納する棒金収納手段を有し、
前記棒金収納手段内に収納された棒金の少なくとも合計金額を集計する棒金集計手段をさらに備え、
前記集計記憶手段は、前記商品券集計手段による集計結果、前記貨幣集計手段による集計結果及び前記棒金集計手段による集計結果を記憶してもよい。
【発明の効果】
【００２３】
本発明では、商品券保管装置が、筐体と、筐体に対して引き出し自在に設けられたドロアとを備えている。そして、ドロアに設けられた投入口に商品券を投入することで当該商品券の少なくとも発行元及び金額を特定可能な情報を読み取るとともに、当該商品券を収納手段で収納することができる。このため、本発明によれば、設置スペースが小さく、導入コストが低く、商品券の少なくとも発行元及び金額に関する情報の管理を可能とする商品券保管装置を提供することができる。また、本発明によれば、このような商品券保管装置を備えた商品券保管システムを提供することもできる。
【図面の簡単な説明】
【００２４】
【図１】本発明の第１の実施の形態による硬貨釣銭機、紙幣釣銭機、棒金管理機及びＰＯＳレジスタの外観を示す斜視図。
【図２】本発明の第１の実施の形態による商品券保管システムの構成を示す概略構成図。
【図３】本発明の第１の実施の形態による商品券保管システムの機能ブロック図。
【図４】本発明の第１の実施の形態による棒金管理機に収納された棒金を検知するためのセンサを示す概略縦断面図。
【図５】本発明の第１の実施の形態による棒金管理機のロック部近傍を示す概略縦断面図。
【図６】本発明の第１の実施の形態による商品券保管システムにおける商品券の処理方法を示すフローチャート。
【図７】本発明の第１の実施の形態の変形例による商品券保管システムの構成を示す概略構成図。
【図８】本発明の第１の実施の形態の別の変形例による商品券保管システムの構成を示す概略構成図。
【図９】本発明の第１の実施の形態による商品券保管システムで硬貨、棒金、紙幣及び商品券を集計し表示する態様を説明するための表と、棒金管理機から上位制御部に送信される在高情報の一例を示した図。
【図１０】本発明の第２の実施の形態による商品券保管システムの構成を示す概略構成図。
【図１１】本発明の第２の実施の形態による商品券保管システムの機能ブロック図。
【図１２】本発明の第３の実施の形態による商品券保管システムの構成を示す概略構成図。
【図１３】本発明の第３の実施の形態による商品券保管システムの機能ブロック図。
【図１４】本発明の第４の実施の形態による商品券保管システムの機能ブロック図。
【発明を実施するための形態】
【００２５】
第１の実施の形態
《構成》
以下、本発明に係る商品券保管装置及び商品券保管システムの実施の形態について、図面を参照して説明する。ここで、図１乃至図９（ａ）（ｂ）は本発明の実施の形態を説明するための図である。なお、本願において「貨幣」とは「硬貨」と「紙幣」の両方を意味している。
【００２６】
図１に示すように、本実施の形態の商品券保管システムは、硬貨釣銭機１００と、紙幣釣銭機２００と、棒金管理機５００と、ＰＯＳレジスタ３００とを備えている。硬貨釣銭機１００及び紙幣釣銭機２００は、それぞれ硬貨や紙幣の入出金処理を行うようになっている。これら硬貨釣銭機１００及び紙幣釣銭機２００が、特許請求の範囲に記載された「貨幣処理装置」に該当する。なお、図１に示すように、硬貨釣銭機１００及び紙幣釣銭機２００は左右方向に並べて配置される。
【００２７】
ＰＯＳレジスタ３００は店舗サーバ４００（図２参照）に通信接続されている。そして、ＰＯＳレジスタ３００から店舗サーバ４００に売上金情報等が送信されるようになっている。また、各種設定情報が、店舗サーバ４００からＰＯＳレジスタ３００（複数台でも可）に配信されるようになっている。
【００２８】
図３に示すように、硬貨釣銭機１００は、硬貨釣銭機１００を制御する上位制御部１２０及び硬貨釣銭機制御部１３０を有しており、これらの上位制御部１２０及び硬貨釣銭機制御部１３０は通信接続されている。また、紙幣釣銭機２００は、紙幣釣銭機２００を制御する紙幣釣銭機制御部２３０を有しており、この紙幣釣銭機制御部２３０は硬貨釣銭機１００の上位制御部１２０に通信接続されている。また、棒金管理機５００は、棒金管理機５００を制御する棒金管理機制御部５３０を有しており、この棒金管理機制御部５３０は硬貨釣銭機１００の上位制御部１２０に通信接続されている。また、ＰＯＳレジスタ３００は、ＰＯＳレジスタ３００を制御するＰＯＳ制御部３３０を有しており、このＰＯＳレジスタ３００のＰＯＳ制御部３３０は硬貨釣銭機１００の上位制御部１２０に通信接続されている。
【００２９】
以下、硬貨釣銭機１００、紙幣釣銭機２００、棒金管理機５００及びＰＯＳレジスタ３００の構成について、説明する。
【００３０】
《硬貨釣銭機》
まず、硬貨釣銭機１００の構成について説明する。
【００３１】
図２に示すように、硬貨釣銭機１００は、硬貨を投入するための硬貨受入部１０１と、硬貨受入部１０１に投入された硬貨を搬送する入金搬送部１０３と、硬貨受入部１０１に投入された硬貨の金種等を識別して計数する硬貨識別計数部１０４と、入金搬送部１０３で搬送された硬貨を金種別に収納する硬貨収納部１０６と、リジェクト硬貨や硬貨収納部１０６に収納されていた硬貨を出金するための硬貨払出部１０９と、を備えている。
【００３２】
硬貨受入部１０１は、硬貨が投入されると駆動されて当該硬貨を機内に繰り入れる硬貨操出部（図示せず）を有している。また、硬貨収納部１０６は、必要に応じて硬貨収納部１０６から硬貨を繰り出す硬貨繰出部（図示せず）を有している。
【００３３】
また、図２に示すように、硬貨識別計数部１０４の下流側であって硬貨収納部１０６と硬貨払出部１０９の上流側には、入金搬送部１０３で搬送された硬貨を硬貨収納部１０６に搬送するか、硬貨払出部１０９に搬送するかを分ける硬貨分岐部１０５が設けられている。また、硬貨収納部１０６と硬貨払出部１０９との間には、硬貨収納部１０６から繰り出された硬貨を搬送する出金搬送部１０７と、当該出金搬送部１０７によって搬送される硬貨を検出するとともに計数する払出硬貨検出部１０８が設けられている。
【００３４】
図１に示すように、硬貨釣銭機１００は、タッチパネル等からなり操作者から操作の指示を受け付けるとともに、入出金に関する情報やエラー情報等を表示する硬貨操作表示部１１２を有している。なお、本実施の形態では、この硬貨操作表示部１１２が、後述する商品券読取部５１５で読み取られた商品券の発行元、金額、当該商品券が使用不可能であること、当該商品券が釣銭払出不可の商品券であるか否かを表示するように構成され、特許請求の範囲に記載された「表示手段」に該当している。また、この硬貨操作表示部１１２には、紙幣釣銭機２００や棒金管理機５００に関する情報も表示される。
【００３５】
図３に示すように、硬貨釣銭機１００の硬貨釣銭機制御部１３０には、硬貨受入部１０１、入金搬送部１０３、硬貨識別計数部１０４、分岐部１０５、硬貨収納部１０６、出金搬送部１０７、硬貨払出部１０９等がそれぞれ接続されており、硬貨釣銭機制御部１３０がこれらと信号の送受信を行い、これらを制御するように構成されている。
【００３６】
また、硬貨釣銭機１００の上位制御部１２０には、硬貨釣銭機１００のインターフェース１３２、硬貨操作表示部１１２、硬貨記憶部１５０及び後述する判別部１５５が接続されている。
【００３７】
《紙幣釣銭機》
次に、紙幣釣銭機２００の構成について説明する。
【００３８】
図２に示すように、紙幣釣銭機２００は、紙幣を投入するための紙幣受入部２０１と、紙幣受入部２０１に投入された紙幣を搬送する紙幣搬送部２０３と、紙幣受入部２０１に投入された紙幣の金種等を識別して計数する紙幣識別計数部２０４と、紙幣搬送部２０３で搬送された紙幣を収納する紙幣収納部２０６と、リジェクト紙幣や紙幣収納部２０６に収納されていた紙幣を出金するための紙幣払出部２０９と、を備えている。
【００３９】
紙幣受入部２０１は、紙幣が投入されると駆動されて当該紙幣を機内に繰り入れる紙幣操出部（図示せず）を有している。また、紙幣収納部２０６は、必要に応じて紙幣収納部２０６から紙幣を繰り出す紙幣繰出部（図示せず）を有している。
【００４０】
また、図２に示すように、紙幣搬送部２０３には、回収処理を行う際に紙幣収納部２０６から繰り出された紙幣を収納する回収カセット２２５が連結されている。なお、紙幣識別計数部２０４で識別された紙幣の金種を収納するための紙幣収納部２０６が満杯である場合には、この紙幣はオーバーフロー紙幣として、回収カセット２２５に収納される。
【００４１】
また、図２に示すように、紙幣搬送部２０３には、紙幣収納部２０６から繰り出された紙幣が、斜行等により紙幣識別計数部２０４によって金種を識別できない場合に、当該紙幣（出金リジェクト紙幣）を収納する出金リジェクト部２２０が連結されている。
【００４２】
図３に示すように、紙幣釣銭機２００の紙幣釣銭機制御部２３０には、インターフェース２３２、紙幣受入部２０１、紙幣搬送部２０３、紙幣識別部２０４、紙幣収納部２０６、紙幣払出部２０９等がそれぞれ接続されている。そして、紙幣釣銭機制御部２３０は、紙幣受入部２０１、紙幣搬送部２０３、紙幣識別部２０４、紙幣収納部２０６、紙幣払出部２０９等と信号の送受信を行い、これらを制御するように構成されている。
【００４３】
《棒金管理機》
次に、本実施の形態の棒金管理機５００（特許請求の範囲の「商品券保管装置」に該当する。）について説明する。なお、本実施の形態では、「商品券保管装置」の一例として棒金管理機５００を用いて説明するが、「商品券保管装置」は、このような棒金管理機５００に限られることはない。
【００４４】
図２に示すように、本実施の形態の棒金管理機５００は、筐体５０５と、筐体５０５に対して引き出し自在に設けられ、棒金を１本ずつ収納する棒金収納部５２０を複数個有する棒金ドロア５０６（特許請求の範囲の「ドロア」に該当する。）と、を備えている。
【００４５】
図２に示すように、棒金管理機５００は、棒金ドロア５０６の前面に設けられ、商品券を投入するための投入口５１０（図１参照）と、投入口５１０に投入された商品券を搬送する商品券搬送部（特許請求の範囲の「搬送手段」に該当する。）５１１と、投入口５１０に投入された商品券の少なくとも発行元及び金額を特定可能な情報を読み取る商品券読取部５１５（特許請求の範囲の「読取手段」に該当する。）（図３参照）と、商品券読取部５１５で情報の読み取られた商品券を収納する商品券収納部５１２（特許請求の範囲の「収納手段」に該当する。）と、を備えている。このうち、商品券読取部５１５は、商品券のイメージ、磁気、バーコード、ＩＣチップ等を読み取るように構成されている。商品券読取部５１５に用いられる部材の一例としてはラインセンサ、磁気リーダ、バーコードリーダ、ＩＣリーダ等を挙げることができる。なお、商品券読取部５１５は、商品券搬送部５１１で搬送されている商品券を読み取るように構成されている。
【００４６】
本実施の形態の投入口５１０には紙幣を投入することもできる。そして、商品券搬送部５１１は投入口５１０に投入された紙幣を搬送することができ、商品券読取部５１５は紙幣の金種等の情報を読み取ることができる。商品券読取部５１５で情報の読み取られた紙幣は、商品券収納部５１２に収納されることとなる。
【００４７】
図２に示すように、棒金収納部（特許請求の範囲の「棒金収納手段」に該当する。）５２０の下面にはスリット５２５が設けられている。また、商品券収納部５１２には、商品券収納部５１２を覆うことができる蓋部材（図示せず）が着脱自在に設けられている。
【００４８】
本実施の形態の商品券搬送部５１１は、後述する判別部１５５によって商品券が使用不可能と判断された場合には、商品券を取り込む際とは逆方向に駆動され、当該商品券を投入口５１０に戻すように構成されている。商品券搬送部５１１は、例えば、一対のローラと、当該ローラに巻きかけられたベルトと、ローラを回転させるモータとを有する態様からなっている。そして、商品券を機内に取り込む際には、ローラを介してモータからの駆動力を受けたベルトが一方向に回転されるが、商品券を投入口５１０に戻す際には、ベルトが一方向とは逆の他方向に回転される態様からなっている。
【００４９】
なお、本実施の形態では、このように使用不可能と判断された商品券が商品券搬送部５１１によって投入口５１０に戻される態様を用いて説明するが、これに限られることはなく、図７に示すように、棒金管理機５００が、投入口５１０とは別に、投入口５１０に投入された商品券を返却するための返却口５１９を有し、判別部１５５によって商品券が使用不可能と判断された場合に、商品券搬送部５１１によって当該商品券を返却口５１９に搬送するようになっていてもよい。なお、図７では、投入口５１０と返却口５１９との位置関係を説明するために、棒金管理機５００だけが側方断面図で示されている。
【００５０】
本実施の形態では、商品券搬送部５１１が設けられた態様を用いて説明しているが、このような商品券搬送部５１１は必須の構成要素ではなく、図８に示すように、投入口５１０から商品券が投入されると、何ら介することなく、当該商品券が商品券収納部５１２に収納されるような態様であってもよい。この場合には、商品券読取部５１５が、投入口５１０に設けられ、投入口５１０を通過する商品券を読み取るように構成されることになる。
【００５１】
図４は、棒金管理機５００に収納された棒金の有無及び金種を検知するためのセンサ５２７ａ，５２７ｂを示す概略縦断面図である。この図４に示すように、棒金収納部５２０に対応する位置であって、筐体５０５の下面内方には光を発光する発光部５２７ａが設けられ、筐体５０５の上面内方には発光部５２７ａによって発光された光を受光する受光部５２７ｂが設けられている。また、上述したように、棒金収納部５２０の下面にはスリット５２５が設けられており、発光部５２７ａから発光された光は、このスリット５２５内を通過することができる。すなわち、センサ５２７ａ，５２７ｂは、スリット５２５に対応する箇所（二箇所）に設けられており、発光部５２７ａから発光された光は、各スリット５２５内を通過できるようになっている。
【００５２】
また、棒金ドロア５０６と筐体５０５との間には、棒金管理機制御部５３０に接続されたロータリエンコーダ（変位検出手段）（図示せず）が設けられており、棒金ドロア５０６の筐体５０５に対する位置を検出することができるようになっている。そして、センサ５２７ａ，５２７ｂとロータリエンコーダ（変位検出手段）によって、棒金の直径を検出することで、棒金の有無を検知するだけでなく、棒金の金種の判定することができるようになっており、これらセンサ５２７ａ，５２７ｂとロータリエンコーダ（変位検出手段）によって、棒金検知部５８０（図３参照）が構成されている。なお、棒金収納部５２０内の棒金の有無及び金種を検知する手段としては、この方式に限定されず、各棒金収納部５２０に有無や金種（材質）を検知するセンサを配置してもよい。
【００５３】
また、図５（ａ）（ｂ）に示すように、筐体５０５には、棒金ドロア５０６を筐体５０５に対して閉鎖位置に固定するロック部５６０が設けられている。なお、図５（ａ）（ｂ）は、棒金管理機５００のロック部５６０近傍を示す概略縦断面図である。
【００５４】
ロック部５６０は、図５（ａ）（ｂ）に示すように、回動軸５６２を中心として回動可能となり、当接部分５６１ａを有するロックアーム５６１と、このロックアーム５６１に連結され、ロックアーム５６１を回動軸５６２を中心に回動させる駆動装置５６９と、ロックアーム５６１の当接部分５６１ａに当接可能なロック板５６５と、を有している。また、ロックアーム５６１のうち回動軸５６２が設けられた箇所の上方には、筐体５０５に固定されたバネ５６３が設けられており、ロックアーム５６１に付勢力を付与している。
【００５５】
また、図５（ａ）（ｂ）に示すように、筐体５０５にはセンサ５２９ａ，５２９ｂが設けられ、このセンサ５２９ａ，５２９ｂの発光部５２９ａと受光部５２９ｂの間には、遮光板５６８が通過可能となっている。また、棒金ドロア５０６に設けられた仕切板５０６ａには、一端が当該仕切板５０６ａに当接してスライド自在なスライド部材５６６が設けられている。また、当該スライド部材５６６の他端には、筐体５０５に固定されたバネ５６７が設けられており、スライド部材５６６に付勢力を付与している。
【００５６】
ロック状態にすべきときには、棒金ドロア５０６を筐体５０５に対してバネ５６７の付勢力に抗して押込位置まで押し込んだときに、遮蔽板５６８が移動することによってセンサ５２９ａ，５２９ｂの出力が透光から遮光を経て再び透光へ切り換わることを受けて、棒金管理機制御部５３０は、駆動装置５６９によってロックアーム５６１をロック位置へ回動させて、当接部分５６１ａをロック板５６５に当接可能な位置に位置づける（図５（ａ）（ｂ）参照）。このため、ロック機構５６０によって、棒金ドロア５０６を閉鎖位置に固定することができる。
【００５７】
他方、ロック状態になっていないときには、ロックアーム５６１は解放位置（すなわち、バネ５６３の付勢力で、回動軸５６２を中心に当接部分５６１ａが下方に回動し、当接部分５６１ａがロック板５６５に当接しない位置）に位置しており、棒金ドロア５０６を筐体５０５に対して押込位置まで押し込んだとしても、バネ５６７の付勢力によって、棒金ドロア５０６が開くこととなる。
【００５８】
図３に示すように、棒金管理機５００は、筐体５０５に対して棒金ドロア５０６が開状態になっているか閉状態になっているかを検知する開閉検知部５７０を備えている。
【００５９】
図３に示すように、棒金管理機５００の棒金管理機制御部５３０には、インターフェース５３２、商品券読取部５１５、商品券搬送部５１１、商品券収納部５１２、棒金検知部５８０、開閉検知部５７０、ロック部５６０等がそれぞれ接続されている。そして、棒金管理機制御部５３０は、商品券読取部５１５、商品券搬送部５１１、商品券収納部５１２、棒金検知部５８０、開閉検知部５７０、ロック部５６０等と信号の送受信を行い、これらを制御するように構成されている。
【００６０】
《ＰＯＳレジスタ３００》
次に、ＰＯＳレジスタ３００の構成について説明する。ＰＯＳレジスタ３００は、商品の購入情報を登録するとともに、硬貨釣銭機１００や紙幣釣銭機２００に対して硬貨や紙幣の入出金処理を行わせるようになっている。
【００６１】
図３に示すように、ＰＯＳレジスタ３００のＰＯＳ制御部３３０は、硬貨釣銭機１００の上位制御部１２０に通信接続されているとともに、店舗サーバ４００にも通信接続されている。そして、このＰＯＳ制御部３３０は、硬貨釣銭機１００の上位制御部１２０を介して硬貨釣銭機制御部１３０や紙幣釣銭機制御部２３０や棒金管理機制御部５３０に指令を送り、この結果、硬貨釣銭機１００や紙幣釣銭機２００に対して硬貨や紙幣の入出金処理を行わせたり、棒金管理機５００の棒金ドロア５０６を開放させたりするようになっている。また、ＰＯＳ制御部３３０は、硬貨釣銭機制御部１３０や紙幣釣銭機制御部２３０や棒金管理機５００から、上位制御部１２０を介して、硬貨釣銭機１００や紙幣釣銭機２００や棒金管理機５００における硬貨や紙幣や棒金の処理状況に係る情報を受け取るようになっている。
【００６２】
図１に示すように、ＰＯＳレジスタ３００は、店員等の操作者が操作することのできる操作部３０４と、硬貨釣銭機１００や紙幣釣銭機２００における硬貨や紙幣の処理状況や、硬貨釣銭機１００や紙幣釣銭機２００や棒金管理機５００の内部に収納された硬貨や紙幣や棒金の在高を表示する表示部３０２と、当該表示部３０２に表示させる代わり又は表示部３０２における表示に加えて表示する追加の表示部３０２ａと、を備えている。操作者は、操作部３０４を介してＰＯＳ制御部３３０に対して様々な指令を与えることができるようになっている。なお、追加の表示部３０２ａは、顧客等が情報を見るためのものである。
【００６３】
図３に示すように、ＰＯＳレジスタ３００のＰＯＳ制御部３３０は、インターフェース３３２を介して、硬貨釣銭機１００の上位制御部１２０や店舗サーバ４００に対して信号の送受信を行うようになっている。また、記憶部３５０には、硬貨釣銭機１００や紙幣釣銭機２００や棒金管理機５００から送信された、硬貨釣銭機１００や紙幣釣銭機２００や棒金管理機５００における硬貨や紙幣や棒金の処理状況や、硬貨釣銭機１００や紙幣釣銭機２００や棒金管理機５００の内部に収納された硬貨や紙幣や棒金の在高等の様々な情報が記憶されるようになっている。
【００６４】
《記憶部、判別部等、その他の構成》
本実施の形態では、硬貨釣銭機１００の硬貨記憶部１５０が、使用可能な商品券に関するデータと、釣銭払出不可の商品券に関するデータを記憶しており、特許請求の範囲に記載された「記憶手段」及び「集計記憶手段」に該当している。
【００６５】
また、図３に示すように、硬貨釣銭機１００は、商品券読取部５１５により得られた商品券に関するデータと硬貨記憶部１５０に記憶された使用可能な商品券に関するデータとを比較することによって、商品券読取部５１５により読み取られた商品券が使用可能か否かを判別する判別部（特許請求の範囲に記載された「判別手段」に該当する。）１５５を備えている。この判別部１５５は、商品券読取部５１５により読み取られた商品券が使用可能であると判断したときに、商品券読取部５１５により得られた商品券データと硬貨記憶部１５０に記憶された釣銭払出不可の商品券に関するデータとを比較することで商品券読取部５１５により読み取られた商品券が釣銭払出不可の商品券か否かを判別するようにも構成されている。
【００６６】
なお、判別部１５５が、商品券読取部５１５で読み取られた商品券が使用可能か否かを判別する手法としては、例えば、使用可能な商品券の発行元（例えば、商品券を発行した百貨店や会社等）の情報が硬貨記憶部１５０に記憶されており、当該発行元の情報と商品券読取部５１５で読み取られた商品券の発行元の情報とが合致したときに、判別部１５５によって使用可能と判断され、逆に、商品券読取部５１５で読み取られた商品券の発行元の情報と硬貨記憶部１５０に記憶されている使用可能な商品券の発行元の情報とが合致しないときに、判別部１５５によって使用不可能と判断される。
【００６７】
また、判別部１５５が、商品券読取部５１５で読み取られた商品券が釣銭払出不可の商品券であるか否かを判別する手法としては、例えば、釣銭を払い出すことができない商品券の発行元（例えば、商品券を発行した百貨店や会社等）の情報が硬貨記憶部１５０に記憶されており、当該発行元の情報と商品券読取部５１５で読み取られた商品券の発行元の情報とが合致したときに、判別部１５５によって釣銭を払い出すことのできない商品券であると判断され、逆に、商品券読取部５１５で読み取られた商品券の発行元の情報と硬貨記憶部１５０に記憶されている釣銭を払い出すことができない商品券の発行元の情報とが合致しないときに、判別部１５５によって釣銭を払い出しができると判断される。なお、釣銭払出不可の商品券とは、店員等の操作者が顧客からこのような商品券を預かったときには、顧客から預かった商品券の金額が、顧客が購入しようとする商品の合計金額である売上高より大きい場合でも、釣銭は払い出されないように取り決められている商品券のことをいう。当然、釣銭を払い出すことができる商品券の発行元（例えば、商品券を発行した百貨店や会社等）の情報が硬貨記憶部１５０に記憶されており、当該発行元の情報と商品券読取部５１５で読み取られた商品券の発行元の情報とが合致したときに釣銭を払い出し、合致しないときには釣銭を払い出さないような方式をとってもよい。
【００６８】
また、本実施の形態では、紙幣釣銭機制御部２３０及び硬貨釣銭機制御部１３０の各々は、商品券読取部５１５で読み取られた商品券が使用可能であることが判別部１５５により判別されたときに、商品券読取部５１５により読み取られた商品券に対する紙幣及び／又は硬貨からなる釣銭を払い出すように構成されている。
【００６９】
なお、顧客が商品券に加えて現金でも支払う場合には、硬貨釣銭機１００及び／又は紙幣釣銭機２００に貨幣が入金されるとともに、棒金管理機５００に商品券が投入され、商品券読取部５１５で読み取られた商品券が使用可能であり、かつ、釣銭の払い出しを行えることが判別部１５５により判別されたときには、硬貨釣銭機１００及び／又は紙幣釣銭機２００に貨幣が入金された貨幣の金額と、棒金管理機５００により受け付けられた商品券の金額との合計金額に基づいて、硬貨釣銭機１００及び／又は紙幣釣銭機２００から釣銭が払い出される。
【００７０】
また、本実施の形態では、棒金管理機制御部５３０が、棒金ドロア５０６内の商品券収納部５１２に収納された商品券の枚数及び合計金額を集計し、棒金ドロア５０６内に収納された棒金の金種別本数及び合計金額を集計する。また、硬貨釣銭機１００の硬貨釣銭機制御部１３０が、硬貨釣銭機１００内に収納された硬貨の金種別枚数及び合計金額を集計し、紙幣釣銭機制御部２３０が、紙幣釣銭機２００内に収納された紙幣の金種別枚数及び合計金額を集計する。集計された集計結果は、硬貨記憶部１５０に記憶される。
【００７１】
なお、棒金管理機制御部５３０は、上記のように商品券の枚数に留まらず、商品券の金種別枚数を集計するようになっていてもよい。このように、本実施の形態では、棒金管理機５００の棒金管理機制御部５３０が、特許請求の範囲に記載された「商品券集計手段」と「棒金集計手段」を構成し、硬貨釣銭機制御部１３０及び紙幣釣銭機制御部２３０が、特許請求の範囲に記載された「貨幣集計手段」を構成している。
【００７２】
硬貨釣銭機１００の上位制御部１２０は、棒金管理機制御部５３０から商品券収納部５１２に収納された商品券の（金種別）枚数及び合計金額に関する情報と、棒金ドロア５０６内に収納された棒金の金種別本数及び合計金額に関する情報を取得し、硬貨釣銭機制御部１３０から硬貨釣銭機１００内に収納された硬貨の金種別枚数及び合計金額に関する情報を取得し、紙幣釣銭機制御部２３０から紙幣釣銭機２００内に収納された紙幣の金種別枚数及び合計金額に関する情報を取得する。そして、硬貨釣銭機１００の上位制御部１２０は、商品券収納部５１２に収納された商品券の（金種別）枚数及び合計金額、棒金ドロア５０６内に収納された棒金の金種別本数及び合計金額、硬貨釣銭機１００内に収納された硬貨の金種別枚数及び合計金額、並びに、紙幣釣銭機２００内に収納された紙幣の金種別枚数及び合計金額を集計するとともに（図９（ａ）参照）、ＰＯＳレジスタ３００と店舗サーバ４００に送信する。なお、硬貨釣銭機１００の上位制御部１２０は、現金の合計金額（図９（ａ）の「現金合計」参照）と、現金の合計金額と商品券の合計金額とを足した在高の合計金額（図９（ａ）の「在高合計」参照）も集計する。
【００７３】
ところで、図９（ｂ）は、棒金管理機５００から上位制御部１２０に送信される在高情報の一例を示したものである。このように、棒金管理機５００内の棒金の在高だけでなく、商品券の在高も、棒金管理機５００から上位制御部１２０に送信され、管理することができる。
【００７４】
また、在高情報を表示する旨の指示を受けると、硬貨釣銭機１００の上位制御部１２０によって集計された、商品券収納部５１２に収納された商品券の（金種別）枚数及び合計金額、棒金ドロア５０６内に収納された棒金の金種別本数及び合計金額、硬貨釣銭機１００内に収納された硬貨の金種別枚数及び合計金額、並びに、紙幣釣銭機２００内に収納された紙幣の金種別枚数及び合計金額が、硬貨操作表示部１１２に表示される（図９（ａ）参照）。また、硬貨操作表示部１１２は、現金の合計金額（図９（ａ）の「現金合計」参照）と、現金の合計金額と商品券の合計金額とを足した在高の合計金額（図９（ａ）の「在高合計」参照）も表示する。なお、硬貨操作表示部１１２は、必要に応じて、商品券の金種別枚数を表示するようにしてもよい。
【００７５】
また、硬貨操作表示部１１２は、商品券読取部５１５で読み取られた商品券が釣銭払出不可の商品券であることが判別部１５５により判別されたときに、この商品券の使用許可を受け付ける「受付部」としての機能も有している。
【００７６】
《商品券の処理方法》
次に、棒金管理機５００による商品券の処理方法について図６に示すフローチャートを用いて説明する。図６に示すフローチャートは、スーパーマーケットやコンビニエンスストア等の店舗において顧客が商品を購入する際に、顧客から受け取った商品券を店員等の操作者が処理するときの商品券保管システムの動作を示している。
【００７７】
顧客から受け取った商品券が棒金管理機５００の投入口５１０に投入される。投入口５１０に投入された商品券は、商品券搬送部５１１で搬送される。このように商品券搬送部５１１で搬送されている間に、商品券読取部５１５によって、当該商品券の少なくとも発行元及び金額を特定可能な情報を読み取られる（ＳＴＥＰ１）。
【００７８】
このように商品券読取部５１５によって商品券が読み取られると、判別部１５５によって、商品券読取部５１５により得られた商品券に関するデータと、硬貨記憶部１５０に記憶された使用可能な商品券に関するデータとが比較され、商品券読取部５１５により読み取られた商品券が使用可能か否かが判別される（ＳＴＥＰ２）。
【００７９】
商品券読取部５１５により読み取られた商品券が、使用可能な商品券ではないと判別部１５５により判断されたときには（ＳＴＥＰ２の「ＮＯ」）、この商品券は商品券搬送部５１１によって、投入口５１０に戻されて返却される（ＳＴＥＰ３）。この際、硬貨釣銭機１００の硬貨操作表示部１１２あるいはＰＯＳレジスタの表示部３０２に、商品券が使用不可である旨のメッセージが表示される。
【００８０】
他方、商品券読取部５１５により読み取られた商品券が、使用可能な商品券であると判別部１５５により判断されたときには（ＳＴＥＰ２の「ＹＥＳ」）、硬貨釣銭機１００の上位制御部１２０によって、硬貨釣銭機１００及び／又は紙幣釣銭機２００から釣銭を支払う必要があるか否かが判断される（ＳＴＥＰ４）。具体的には、硬貨釣銭機１００の上位制御部１２０が、顧客が購入しようとする商品の金額と、商品券読取部５１５により読み取られた商品券の金額とを比較し、両者が一致するか商品の金額の方が多ければ硬貨釣銭機１００や紙幣釣銭機２００から釣銭を支払う必要がないと判断する。
【００８１】
そして、硬貨釣銭機１００及び／又は紙幣釣銭機２００から釣銭を支払う必要がないと硬貨釣銭機１００の上位制御部１２０によって判断されたときには（ＳＴＥＰ４の「ＮＯ」）、棒金管理機５００において商品券が受け付けられ、この商品券は商品券搬送部５１１から商品券収納部５１２に送られて、当該商品券収納部５１２で収納される（ＳＴＥＰ９）。
【００８２】
他方、商品券読取部５１５により読み取られた商品券の金額が、顧客が購入しようとする商品の金額よりも大きく、硬貨釣銭機１００及び／又は紙幣釣銭機２００から釣銭を支払う必要があると硬貨釣銭機１００の上位制御部１２０によって判断されたときには（ＳＴＥＰ４の「ＹＥＳ」）、判別部１５５によって、商品券読取部５１５により得られた商品券データと、硬貨記憶部１５０に記憶された釣銭払出不可の商品券に関するデータとが比較され、商品券読取部５１５により読み取られた商品券が釣銭払出不可の商品券か否かが判別される（ＳＴＥＰ５）。
【００８３】
商品券読取部５１５により読み取られた商品券が釣銭払出不可の商品券ではないと判別部１５５により判断されたときには（ＳＴＥＰ５の「ＮＯ」）、商品券読取部５１５により読み取られた商品券の金額と、顧客が購入しようとする商品の金額との差額分が釣銭として硬貨釣銭機１００及び／又は紙幣釣銭機２００から払い出される（ＳＴＥＰ６）。また、この場合には、硬貨釣銭機１００の硬貨操作表示部１１２に、預かり金金額（商品券読取部５１５により読み取られた商品券の金額）、現金売上（顧客が購入しようとする商品の金額）及び釣銭の金額がそれぞれ表示される。
【００８４】
他方、商品券読取部５１５により読み取られた商品券が釣銭払出不可の商品券であると判別部１５５により判断されたときには（ＳＴＥＰ５の「ＹＥＳ」）、硬貨釣銭機１００の硬貨操作表示部１１２に、釣銭の支払いができない商品券がある旨のメッセージが表示される（ＳＴＥＰ７）。このときには、店員等の操作者は顧客に対して、このような商品券を使用した場合には釣銭が支払われないがそれでも商品券を使用するか否かの確認を行い、釣銭払出不可の商品券を使用することについて顧客が合意した場合には、店員は硬貨操作表示部１１２により釣銭払出不可の商品券の使用許可の指令を上位制御部１２０に与える（ＳＴＥＰ８の「ＹＥＳ」）。釣銭払出不可の商品券の使用許可が受け付けられると、棒金管理機５００において商品券が受け付けられ、この商品券は商品券搬送部５１１によって商品券収納部５１２に送られて、当該商品券収納部５１２で収納される（ＳＴＥＰ９）。なお、この場合には、硬貨釣銭機１００や紙幣釣銭機２００から釣銭の払い出しは行われない。また、商品券が収納されると、商品券の在高情報が加算更新される。
【００８５】
他方、釣銭払出不可の商品券を使用することについて顧客が合意しない場合には、硬貨釣銭機１００の硬貨操作表示部１１２で使用を許可しない旨が入力され（ＳＴＥＰ８の「ＮＯ」）、商品券読取部５１５により読み取られた商品券は商品券搬送部５１１によって、投入口５１０に戻されて返却される（ＳＴＥＰ３）。
【００８６】
ところで、リジェクト部５０４により商品券が筐体５０５の外部に返却された後（ＳＴＥＰ３）、店員は硬貨操作表示部１１２により他の決済処理を行うという指令を上位制御部１２０に与えることができる。より具体的には、例えば顧客が現金やクレジットカード等の支払い方法で商品の代金の支払いを行いたい場合には、硬貨操作表示部１１２において他の決済処理が受け付けられ（ＳＴＥＰ１０の「ＹＥＳ」）、商品券保管システムは他の決済処理を実行するようになる（ＳＴＥＰ１１）。他方、硬貨操作表示部１１２において他の決済処理が受け付けられなかった場合には（ＳＴＥＰ１０の「ＮＯ」）、商品券保管システムにおいて取引が中止される（ＳＴＥＰ１２）。
【００８７】
《作用・効果》
次に、上述した構成からなる本実施の形態による作用・効果について説明する。
【００８８】
本実施の形態の棒金管理機５００は、投入口５１０に投入された商品券を商品券収納部５１２に収納する前に、商品券読取部５１５によって、当該商品券の発行元及び金額を特定可能な情報が読み取られる。このため、本実施の形態によれば、棒金管理機５００内に商品券を収納することができるだけでなく、商品券の発行元及び金額を特定可能な情報を読み取ることができる。したがって、本実施の形態によれば、別途、商品券入金機を設置することなく商品券を保管及び管理することができ、商品券入金機を別途設置する場合と比較して、設置スペースを小さくし、導入コストを低く抑えることができる。
【００８９】
また、本実施の形態の硬貨釣銭機１００が、硬貨記憶部１５０で、使用可能な商品券に関するデータと釣銭払出不可の商品券に関するデータを記憶し、判別部１５５で、商品券読取部５１５により得られた商品券に関するデータと硬貨記憶部１５０に記憶された使用可能な商品券に関するデータとを比較することで、商品券読取部５１５により読み取られた商品券が使用可能か否かを判別する。このため、本実施の形態によれば、店員等の操作者が何ら判断することなく、商品券読取部５１５で読み取られた商品券が使用可能か否かを判別することができ、処理ミスの防止、操作者の負担軽減、取引時間の短縮等の効果が見込まれる。
【００９０】
また、本実施の形態では、判別部１５５が、商品券読取部５１５により得られた商品券データと硬貨記憶部１５０に記憶された釣銭払出不可の商品券に関するデータとを比較することで商品券読取部５１５により読み取られた商品券が釣銭払出不可の商品券か否かを判別する。このため、本実施の形態によれば、店員等の操作者が何ら判断することなく、商品券読取部５１５で読み取られた商品券が釣銭払出不可の商品券か否かを判別することもでき、やはり、処理ミスの防止、操作者の負担軽減、取引時間の短縮等の効果が見込まれる。
【００９１】
また、本実施の形態では、硬貨操作表示部１１２において、商品券読取部５１５によって読み取られた商品券の発行元及び金額を表示するだけはなく、商品券読取部５１５で読み取られた商品券が使用不可能であること、また、商品券読取部５１５により読み取られた商品券が釣銭払出不可の商品券であるか否かを表示することができる。このため、本実施の形態によれば、店員等の操作者は、商品券の発行元及び金額だけでなく、商品券が使用不可能であること、また、商品券が釣銭払出不可の商品券であるか否かを一目で確認することができる。
【００９２】
また、本実施の形態では、商品券読取部５１５で読み取られた商品券が使用可能であり、かつ、釣銭の払い出しを行えることが判別部１５５により判別されたときに、商品券読取部５１５により読み取られた商品券に対する紙幣及び／又は硬貨からなる釣銭が、紙幣釣銭機２００及び／又は硬貨釣銭機１００から払い出される。このため、本実施の形態によれば、店員等の操作者がＰＯＳレジスタ３００に商品券の金額を入力したりすることなく、棒金管理機５００に投入された商品券に対する釣銭を払い出すことができる。
【００９３】
また、本実施の形態では、商品券搬送部５１１が投入口５１０に投入された紙幣を搬送し、商品券読取部５１５が紙幣の金種等の情報を読み取ることができるように構成されている。そして、商品券読取部５１５として例えばラインセンサを用いた場合や、商品券搬送部５１１での紙幣の搬送速度を紙幣搬送部２０３での紙幣の搬送速度よりも遅くした場合等には、紙幣釣銭機２００で読み取ることができずにリジェクトされた例えば汚損紙幣等であっても、商品券読取部５１５で読み取ることができる。
【００９４】
また、本実施の形態では、硬貨釣銭機１００の上位制御部１２０が、商品券収納部５１２に収納された商品券の（金種別）枚数及び合計金額、棒金ドロア５０６内に収納された棒金の金種別本数及び合計金額、硬貨釣銭機１００内に収納された硬貨の金種別枚数及び合計金額、並びに、紙幣釣銭機２００内に収納された紙幣の金種別枚数及び合計金額を集計する。このため、本実施の形態によれば、貨幣釣銭機１００，２００内に収納された貨幣の金種別の金額だけでなく、棒金管理機５００内の棒金の金種別の金額及び商品券の金額を集計することができ、管理することができる。
【００９５】
また、本実施の形態では、硬貨釣銭機１００の上位制御部１２０によって集計された、商品券収納部５１２に収納された商品券の（金種別）枚数及び合計金額、棒金ドロア５０６内に収納された棒金の金種別本数及び合計金額、硬貨釣銭機１００内に収納された硬貨の金種別枚数及び合計金額、並びに、紙幣釣銭機２００内に収納された紙幣の金種別枚数及び合計金額が、硬貨操作表示部１１２に表示される。このため、店舗の従業員等の操作者は、これらの情報を一目で確認することができる。
【００９６】
ところで、棒金管理機制御部５３０は、商品券読取部５１５で読み取られて商品券収納部５１２に収納された紙幣の金種別枚数及び合計金額を集計し、当該集計結果を上位制御部１２０に送信してもよい。この場合には、上位制御部１２０が、商品券読取部５１５で読み取られて商品券収納部５１２に収納された紙幣の金種別枚数及び合計金額も集計し、この情報も管理することができる。
【００９７】
ところで、上記では、判別部１５５が、商品券読取部５１５で読み取られた商品券が使用可能であるか否かを判別し、かつ、商品券読取部５１５で読み取られた商品券が釣銭の払い出しを行えるか否かを判別する態様を用いて説明したが、これに限られることはない。
【００９８】
例えば、硬貨記憶部１５０が使用可能な商品券に関するデータのみを記憶し、判別部１５５が、商品券読取部５１５により得られた商品券に関するデータと硬貨記憶部１５０に記憶された使用可能な商品券に関するデータとを比較することで、商品券読取部５１５により読み取られた商品券が使用可能か否かのみを判別する態様であってもよい。
【００９９】
また、硬貨記憶部１５０が釣銭払出不可の商品券に関するデータのみを記憶し、判別部１５５が、商品券読取部５１５により得られた商品券データと硬貨記憶部１５０に記憶された釣銭払出不可の商品券に関するデータとを比較することで商品券読取部５１５により読み取られた商品券が釣銭払出不可の商品券か否かのみを判別する態様であってもよい。
【０１００】
また、上記では、硬貨釣銭機１００が上位制御部１２０を備えており、親機として機能していたがこれに限られることはない。
【０１０１】
例えば、硬貨釣銭機１００ではなく紙幣釣銭機２００が上位制御部を備えており、この紙幣釣銭機２００が親機として機能し、硬貨釣銭機１００が子機として紙幣釣銭機２００に接続されるようになっていてもよい。また、硬貨釣銭機１００及び紙幣釣銭機２００のそれぞれが上位制御部を備えており、これらの硬貨釣銭機１００及び紙幣釣銭機２００が並列的にＰＯＳレジスタ３００に接続されるようになっていてもよい。
【０１０２】
また、上記では、硬貨釣銭機１００、紙幣釣銭機２００及び棒金管理機５００がそれぞれ別体を構成していたが、これに限られることはなく、例えば、棒金管理機５００が硬貨釣銭機１００内に組み入れられている態様からなってもよいし、棒金管理機５００、硬貨釣銭機１００及び紙幣釣銭機２００が一体になっている態様であってもよい。また、硬貨釣銭機１００及び紙幣釣銭機２００が一体となった貨幣釣銭機がＰＯＳレジスタ３００に接続されるようになっていてもよい。
【０１０３】
また、上記では、硬貨釣銭機１００及び紙幣釣銭機２００の両方がＰＯＳレジスタ３００に接続されて当該ＰＯＳレジスタ３００によって制御されうる態様であったが、これに限られることはない。例えば、硬貨釣銭機１００及び紙幣釣銭機２００の一方の貨幣釣銭機のみがＰＯＳレジスタ３００に接続されて当該ＰＯＳレジスタ３００によって制御されるが、他方の貨幣釣銭機はＰＯＳレジスタ３００及び一方の貨幣釣銭機から独立していてもよい。
【０１０４】
なお、上記では、硬貨釣銭機１００の硬貨操作表示部１１２で様々な情報が表示される態様を用いて説明したが、これに限られることはなく、上記において硬貨操作表示部１１２で表示されるとした情報は、硬貨操作表示部１１２の代わりにＰＯＳレジスタ３００の表示部３０２及び／又は追加の表示部３０２ａに表示されてもよいし、硬貨操作表示部１１２に加えてＰＯＳレジスタ３００の表示部３０２及び／又は追加の表示部３０２ａに表示されてもよい。この場合には、ＰＯＳレジスタ３００の表示部３０２及び／又は追加の表示部３０２ａも、特許請求の範囲に記載された「表示手段」に該当することになる。
【０１０５】
第２の実施の形態
次に、図１０及び図１１により、本発明の第２の実施の形態について説明する。図１０は、本実施の形態による商品券保管システムの構成を示す概略構成図であり、図１１は、本実施の形態による商品券保管システムの機能ブロック図である。
【０１０６】
第１の実施の形態は、棒金を収納する棒金収納部５２０を有する棒金管理機５００が設けられており、当該棒金管理機５００が商品券読取部５１５及び商品券収納部５１２を備えた態様であった。これに対して、第２の実施の形態は、棒金管理機５００の代わりに貨幣管理機６００が設けられた態様からなっている。
【０１０７】
具体的には、貨幣管理機６００は、図１０に示すように、筐体６０５と、筐体６０５に対して引き出し自在に設けられ、貨幣を収納する貨幣ドロア６０６（特許請求の範囲の「ドロア」に該当する。）と、を備えている。貨幣管理機６００は、貨幣ドロア６０６の前面に設けられ、商品券を投入するための投入口６１０と、投入口６１０に投入された商品券を搬送する商品券搬送部５１１と、投入口６１０に投入された商品券の少なくとも発行元及び金額を特定可能な情報を読み取る商品券読取部５１５（特許請求の範囲の「読取手段」に該当する。）（図１１参照）と、商品券読取部５１５で情報の読み取られた商品券を収納する商品券収納部５１２（特許請求の範囲の「収納手段」に該当する。）と、を備えている。
【０１０８】
また、図１０に示すように、貨幣ドロア６０６は、紙幣を金種別に収納するための紙幣収納部６６０と、硬貨を金種別に収納するための硬貨収納部６６１とを有している。貨幣管理機６００は、筐体６０５に対して貨幣ドロア６０６が開状態になっているか閉状態になっているかを検知する開閉検知部６７０（図１１参照）を備えている。
【０１０９】
図１１に示すように、貨幣管理機６００は、当該貨幣管理機６００を制御する貨幣管理機制御部６３０を有している。そして、この貨幣管理機制御部６３０には、インターフェース６３２、商品券読取部５１５、商品券搬送部５１１、商品券収納部５１２、開閉検知部６７０等がそれぞれ接続されている。そして、貨幣管理機制御部６３０は、商品券読取部５１５、商品券搬送部５１１、商品券収納部５１２、開閉検知部６７０等と信号の送受信を行い、これらを制御するように構成されている。
【０１１０】
第２の実施の形態において、その他の構成は、第１の実施の形態と略同一の態様となっている。第２の実施の形態において、第１の実施の形態と同一部分には同一符号を付して詳細な説明は省略する。
【０１１１】
本実施の形態でも、第１の実施の形態と同様の効果を奏することができる。
【０１１２】
すなわち、本実施の形態では、貨幣管理機６００によって、商品券を収納することができるだけでなく、商品券の発行元及び金額を特定可能な情報を読み取ることができる。したがって、本実施の形態によれば、別途、商品券入金機を設置することなく商品券を保管及び管理することができ、商品券入金機を別途設置する場合と比較して、設置スペースを小さくし、導入コストを低く抑えることができる。
【０１１３】
また、本実施の形態では、第１の実施の形態と同様、判別部１５５が、商品券読取部５１５により読み取られた商品券が使用可能か否かを判別するので、店員等の操作者が何ら判断することなく、商品券読取部５１５で読み取られた商品券が使用可能か否かを判別することができる。
【０１１４】
また、本実施の形態では、第１の実施の形態と同様、判別部１５５が、商品券読取部５１５により読み取られた商品券が釣銭払出不可の商品券か否かを判別するので、店員等の操作者が何ら判断することなく、商品券読取部５１５で読み取られた商品券が釣銭払出不可の商品券か否かを判別することもできる。
【０１１５】
また、本実施の形態では、第１の実施の形態と同様、硬貨操作表示部１１２の表示によって、店員等の操作者が、商品券の発行元及び金額だけでなく、商品券が使用不可能であること、また、商品券が釣銭払出不可の商品券であるか否かを一目で確認することができる。
【０１１６】
また、本実施の形態では、第１の実施の形態と同様、商品券読取部５１５により読み取られた商品券に対する紙幣及び／又は硬貨からなる釣銭が、紙幣釣銭機２００及び／又は硬貨釣銭機１００から払い出されるので、店員等の操作者がＰＯＳレジスタ３００に商品券の金額を入力したりすることなく、貨幣管理機６００に投入された商品券に対する釣銭を払い出すことができる。
【０１１７】
また、本実施の形態では、第１の実施の形態と同様、商品券読取部５１５として例えばラインセンサを用いた場合や、商品券搬送部５１１での紙幣の搬送速度を紙幣搬送部２０３での紙幣の搬送速度よりも遅くした場合等には、紙幣釣銭機２００で読み取ることができなかった例えば汚損紙幣等であっても、商品券読取部５１５で読み取ることができる。
【０１１８】
また、本実施の形態では、硬貨釣銭機１００の上位制御部１２０が、商品券収納部５１２に収納された商品券の（金種別）枚数及び合計金額、貨幣ドロア６０６内に収納された貨幣の金種別枚数及び合計金額、硬貨釣銭機１００内に収納された硬貨の金種別枚数及び合計金額、並びに、紙幣釣銭機２００内に収納された紙幣の金種別枚数及び合計金額を集計する。このため、本実施の形態によれば、貨幣釣銭機１００，２００内に収納された貨幣の金種別の金額だけでなく、貨幣管理機６００内の貨幣の金種別の金額及び商品券の金額を集計することができ、管理することができる。
【０１１９】
また、本実施の形態では、硬貨釣銭機１００の上位制御部１２０によって集計された、商品券収納部５１２に収納された商品券の（金種別）枚数及び合計金額、貨幣ドロア６０６内に収納された貨幣の金種別枚数及び合計金額、硬貨釣銭機１００内に収納された硬貨の金種別枚数及び合計金額、並びに、紙幣釣銭機２００内に収納された紙幣の金種別枚数及び合計金額が、硬貨操作表示部１１２に表示される。このため、店舗の従業員等の操作者は、これらの情報を一目で確認することができる。
【０１２０】
ところで、貨幣管理機制御部６３０は、商品券読取部５１５で読み取られて商品券収納部５１２に収納された紙幣の金種別枚数及び合計金額を集計し、当該集計結果を上位制御部１２０に送信してもよい。
【０１２１】
第３の実施の形態
次に、図１２及び図１３により、本発明の第３の実施の形態について説明する。図１２は、本実施の形態による商品券保管システムの構成を示す概略構成図であり、図１３は、本実施の形態による商品券保管システムの機能ブロック図である。
【０１２２】
第３の実施の形態は、第２の実施の形態において、貨幣釣銭機１００，２００が設けられていない態様からなっている。本実施の形態では、ＰＯＳレジスタ３００の表示部３０２及び／又は追加の表示部３０２ａが、特許請求の範囲に記載された「表示手段」として機能する。
【０１２３】
また、本実施の形態では、ＰＯＳレジスタ３００の記憶部３５０が使用可能な商品券に関するデータと釣銭払出不可の商品券に関するデータを記憶し、ＰＯＳレジスタ３００が商品券読取部５１５で読み取られた商品券について、使用可能であるか否か、また、釣銭の払い出しを行えるか否かを判別する判別部３５５を備えた態様からなっている。
【０１２４】
第３の実施の形態において、その他の構成は、第２の実施の形態と略同一の態様となっている。第３の実施の形態において、第１の実施の形態及び第２の実施の形態と同一部分には同一符号を付して詳細な説明は省略する。
【０１２５】
本実施の形態では、以下の効果を奏することができる。
【０１２６】
すなわち、本実施の形態では、貨幣管理機６００によって、商品券を収納することができるだけでなく、商品券の発行元及び金額を特定可能な情報を読み取ることができる。したがって、本実施の形態によれば、別途、商品券入金機を設置することなく商品券を保管及び管理することができ、商品券入金機を別途設置する場合と比較して、設置スペースを小さくし、導入コストを低く抑えることができる。
【０１２７】
また、本実施の形態では、判別部３５５が、記憶部３５０に記憶された使用可能な商品券に関するデータに基づいて、商品券読取部５１５により読み取られた商品券が使用可能か否かを判別するので、店員等の操作者が何ら判断することなく、商品券読取部５１５で読み取られた商品券が使用可能か否かを判別することができる。
【０１２８】
また、本実施の形態では、判別部３５５が、記憶部３５０に記憶された釣銭払出不可の商品券に関するデータに基づいて、商品券読取部５１５により読み取られた商品券が釣銭払出不可の商品券か否かを判別するので、店員等の操作者が何ら判断することなく、商品券読取部５１５で読み取られた商品券が釣銭払出不可の商品券か否かを判別することもできる。
【０１２９】
また、本実施の形態では、表示部３０２及び／又は追加の表示部３０２ａの表示によって、店員等の操作者が、商品券の発行元及び金額だけでなく、商品券が使用不可能であること、また、商品券が釣銭払出不可の商品券であるか否かを一目で確認することができる。
【０１３０】
また、本実施の形態では、ＰＯＳ制御部３３０が、商品券収納部５１２に収納された商品券の（金種別）枚数及び合計金額、並びに、貨幣ドロア６０６内に収納された貨幣の金種別枚数及び合計金額を集計する。このため、本実施の形態によれば、貨幣管理機６００内の貨幣の金種別の金額及び商品券の金額を集計することができ、管理することができる。
【０１３１】
また、本実施の形態では、ＰＯＳ制御部３３０によって集計された、商品券収納部５１２に収納された商品券の（金種別）枚数及び合計金額、並びに、貨幣ドロア６０６内に収納された貨幣の金種別枚数及び合計金額が、表示部３０２及び／又は追加の表示部３０２ａに表示される。このため、店舗の従業員等の操作者は、これらの情報を一目で確認することができる。
【０１３２】
ところで、本実施の形態でも、貨幣管理機制御部６３０は、商品券読取部５１５で読み取られて商品券収納部５１２に収納された紙幣の金種別枚数及び合計金額を集計し、当該集計結果をＰＯＳ制御部３３０に送信してもよい。この場合には、貨幣管理機制御部６３０が、商品券読取部５１５で読み取られて商品券収納部５１２に収納された紙幣の金種別枚数及び合計金額も集計し、この情報も管理することができる。
【０１３３】
第４の実施の形態
次に、図１４により、本発明の第４の実施の形態について説明する。図１４は、本実施の形態による商品券保管システムの機能ブロック図である。
【０１３４】
第１の実施の形態は、硬貨釣銭機１００の硬貨記憶部１５０が、使用可能な商品券に関するデータと、釣銭払出不可の商品券に関するデータを記憶し、硬貨釣銭機１００が、商品券読取部５１５で読み取られた商品券について、使用可能であるか否か、又、釣銭の払い出しを行えるか否かを判別する判別部１５５を備えた態様であった。これに対して、第４の実施の形態では、棒金管理機５００が、使用可能な商品券に関するデータと釣銭払出不可の商品券に関するデータを記憶する棒金記憶部５５０と、商品券読取部５１５で読み取られた商品券について、使用可能であるか否か、また、釣銭の払い出しを行えるか否かを判別する判別部５５５と、を備えた態様からなっている。
【０１３５】
第４の実施の形態において、その他の構成は、第１の実施の形態と略同一の態様となっている。第４の実施の形態において、第１乃至第３の実施の形態と同一部分には同一符号を付して詳細な説明は省略する。
【０１３６】
本実施の形態は、第１の実施の形態の硬貨釣銭機１００で行われていたことが、棒金管理機５００で行われるようになったものであり、第１の実施の形態と同様の効果を奏することができる。具体的な作用・効果については、簡単に説明するに留める。
【０１３７】
本実施の形態によれば、第１の実施の形態と同様、別途、商品券入金機を設置することなく商品券を保管及び管理することができ、商品券入金機を別途設置する場合と比較して、設置スペースを小さくし、導入コストを低く抑えることができる。
【０１３８】
また、棒金記憶部５５０及び判別部５５５の機能によって、商品券読取部５１５で読み取られた商品券が使用可能か否かを判別することができる。また、棒金記憶部５５０及び判別部５５５の機能によって、商品券読取部５１５で読み取られた商品券が釣銭払出不可の商品券か否かを判別することもできる。
【０１３９】
また、硬貨操作表示部１１２の表示によって、操作者は、商品券の発行元及び金額だけでなく、商品券が使用不可能であること、また、商品券が釣銭払出不可の商品券であるか否かを一目で確認することができる。また、硬貨操作表示部１１２の表示によって、操作者は、商品券収納部５１２に収納された商品券の（金種別）枚数及び合計金額、棒金ドロア５０６内に収納された棒金の金種別本数及び合計金額、硬貨釣銭機１００内に収納された硬貨の金種別枚数及び合計金額、並びに、紙幣釣銭機２００内に収納された紙幣の金種別枚数及び合計金額を一目で確認することができる。
【０１４０】
また、第１の実施の形態と同様、店員等の操作者がＰＯＳレジスタ３００に商品券の金額を入力したりすることなく、棒金管理機５００に投入された商品券に対する釣銭を払い出すことができる。また、紙幣釣銭機２００で読み取ることができなかった例えば汚損紙幣等であっても、商品券読取部５１５で読み取ることができる。
【０１４１】
ところで、第４の実施の形態の態様は、第２の実施の形態及び第３の実施の形態でも用いることができる。この場合には、貨幣管理機６００が、使用可能な商品券に関するデータと釣銭払出不可の商品券に関するデータを記憶する記憶部と、商品券読取部５１５で読み取られた商品券について使用可能であるか否か、また、釣銭の払い出しを行えるか否かを判別する判別部と、を有することとなる。
【０１４２】
なお、上述した各実施の形態では、使用可能な商品券に関するデータと釣銭払出不可の商品券に関するデータを記憶する記憶部と当該記憶部のデータに基づいて判別する判別部が同じ装置に設けられる態様を用いて説明したが、これに限られることはない。例えば、硬貨釣銭機１００が記憶部及び判別部のうちの一方を有し、棒金管理機５００が他方を有してもよい。
【０１４３】
また、上記のように、使用可能な商品券に関するデータと釣銭払出不可の商品券に関するデータを記憶する記憶部と当該記憶部のデータに基づいて判別する判別部を、硬貨釣銭機１００、棒金管理機５００又はＰＯＳレジスタ３００が有している態様に限られず、これら記憶部と判別部の一方又は両方を、紙幣釣銭機２００が有することも当然可能である。
【０１４４】
また、上述した各実施の形態では、同じ記憶部が、使用可能な商品券に関するデータと釣銭払出不可の商品券に関するデータを記憶している態様を用いて説明したが、これに限られることはなく、例えば、使用可能な商品券に関するデータ及び釣銭払出不可の商品券に関するデータのうちの一方を硬貨記憶部１５０が記憶し、他方を棒金記憶部５５０が記憶してもよい。
【０１４５】
また、上記では、一つの判別部が、使用可能な商品券であるか否かを判別し、かつ、釣銭払出不可の商品券であるか否かを判別する態様を用いて説明したが、これに限られることはなく、例えば、硬貨釣銭機１００の判別部１５５及び棒金管理機５００の判別部５５５のうちの一方が使用可能な商品券であるか否かを判別し、他方が釣銭払出不可の商品券であるか否かを判別してもよい。
【０１４６】
このように、上述した各実施の形態は、特許請求の範囲に記載された発明を説明するための一例に過ぎず、上述した各実施の形態の記載によって特許請求の範囲に記載された発明は限定されることはない。
【符号の説明】
【０１４７】
１００      硬貨釣銭機
１１２      硬貨操作表示部（表示手段）（受付手段）
１２０      上位制御部
１３０      硬貨釣銭機制御部
１５０      硬貨記憶部（記憶手段）
１５５      判別部（判別手段）
２００      紙幣釣銭機
２３０      紙幣釣銭機制御部
３００      ＰＯＳレジスタ
３０２      表示部（表示手段）
３０２ａ    追加の表示部（表示手段）
３３０      ＰＯＳ制御部
４００      店舗サーバ
５００      棒金管理機
５０５      筐体
５０６      棒金ドロア
５１０      投入口
５１１      商品券搬送部（搬送手段）
５１２      商品券収納部（収納手段）
５１５      商品券読取部（読取手段）
５１９      返却口
５２０      棒金収納部（棒金収納手段）
５３０      棒金管理機制御部
５５０      棒金記憶部（記憶手段）
５５５      判別部（判別手段）
６００      貨幣管理機
６０５      筐体
６０６      貨幣ドロア
６１０      投入口
【図１】
0005940332.tif 000002
【図２】
0005940332.tif 000003
【図３】
0005940332.tif 000004
【図４】
0005940332.tif 000005
【図５】
0005940332.tif 000006
【図６】
0005940332.tif 000007
【図７】
0005940332.tif 000008
【図８】
0005940332.tif 000009
【図９】
0005940332.tif 000010
【図１０】
0005940332.tif 000011
【図１１】
0005940332.tif 000012
【図１２】
0005940332.tif 000013
【図１３】
0005940332.tif 000014
【図１４】
0005940332.tif 000015